(57)【要約】【課題】コンテンツを表示する場合、コンテンツ全体に表示の制限をかけており、表示データ単位での制限ができなかったし、見せたい所だけを表示できなかった。【解決手段】コンテンツを表示させる機能を有する移動型情報処理装置において、コンテンツ内の表示データ単位及びコンテンツ単位に情報の表示を制限するための制御情報を含む管理テーブルを作成しコンテンツに付加する管理テーブル処理部１２と、管理テーブル処理手段により作成した管理テーブル付きコンテンツを表示する場合、管理テーブル付きコンテンツから管理テーブルを抽出して解析し制御情報に含まれる表示条件を判定する表示条件判定部１０と、前記判定結果を基に管理テーブルで許容している状態以外でのコンテンツ内の表示データ単位の表示及びコンテンツ単位の表示を制限するセキュリティ制御部６を備えている。【選択図】図１
2007305007.tif 000002
【特許請求の範囲】
【請求項１】
情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示させる機能を有する移動型情報処理装置において、
前記コンテンツ内の表示データ単位及びコンテンツ単位に情報の表示を制限するための制御情報を含む管理テーブルを作成し、その管理テーブルをコンテンツに付加する管理テーブル処理手段と、
前記管理テーブル処理手段により作成した管理テーブル付きコンテンツを表示する場合、前記管理テーブル付きコンテンツから管理テーブルを抽出して解析し、前記制御情報に含まれる表示条件を判定する表示条件判定手段と、
前記表示条件判定手段の判定結果を基に、前記管理テーブルで許容している状態以外でのコンテンツ内の表示データ単位の表示及びコンテンツ単位の表示を制限する表示制限手段を備えていることを特徴とする移動型情報処理装置。
【請求項２】
前記管理テーブルは前記制御情報に位置情報を含み、該位置情報を表示条件とすることにより、特定エリア以外でのコンテンツの表示を制限する機能を備えていることを特徴とする請求項１記載の移動型情報処理装置。
【請求項３】
前記管理テーブルは前記制御情報に位置情報を含み、該位置情報を表示条件とすることにより、その位置で表示させたいコンテンツ内の表示データ単位のデータだけを表示させる機能を備えていることを特徴とする請求項１記載の移動型情報処理装置。
【請求項４】
情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示する機能を有する移動型情報処理装置の処理方法において、
前記コンテンツ内の表示データ単位及びコンテンツ単位に情報の表示を制限するための制御情報を含む管理テーブルを作成し、その管理テーブルをコンテンツに付加する管理テーブル処理手順と、
前記管理テーブル処理手順により作成した管理テーブル付きコンテンツを表示する場合、前記管理テーブル付きコンテンツから管理テーブルを抽出して解析し、前記制御情報に含まれる表示条件を判定する表示条件判定手順と、
前記表示条件判定手順の判定結果を基に、前記管理テーブルで許容している状態以外での表示データ単位の表示及びコンテンツ単位の表示を制限する表示制限手順と、
を備えていることを特徴とする移動型情報処理装置の処理方法。
【請求項５】
情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示する機能を有する移動型情報処理装置に、
前記コンテンツ内の表示データ単位及びコンテンツ単位に情報の表示を制限するための制御情報を含む管理テーブルを作成し、その管理テーブルをコンテンツに付加する管理テーブル処理手段と、
前記管理テーブル処理手段により作成した管理テーブル付きコンテンツを表示する場合、前記管理テーブル付きコンテンツから管理テーブルを抽出して解析し、前記制御情報に含まれる表示条件を判定する表示条件判定手段と、
前記表示条件判定手段の判定結果を基に、前記管理テーブルで許容している状態以外での表示データ単位の表示及びコンテンツ単位の表示を制限する表示制限手段の機能を実現させるためのプログラム。
【発明の詳細な説明】
【技術分野】
【０００１】
本発明は、情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示する機能を有する携帯電話機、ＰＤＡ、ノートパソコン等の移動型情報処理装置、移動型情報処理装置の処理方法及びプログラムに関する。
【背景技術】
【０００２】
(1) ：従来例１
図１１は従来例の説明図である。以下、図１１に基づいて従来例１を説明する。この例の移動型情報処理装置は、携帯電話機、ＰＤＡ、ノートパソコン等が含まれている。
【０００３】
図１１に示したように、移動型情報処理装置には、ＣＰＵ等のプロセッサ１と、利用者が操作するためのキーボード２と、半導体記憶装置やハードディスク装置等の記憶部３と、ＬＣＤパネル等の表示パネル４と、表示情報の処理を行う表示情報処理部５と、セキュリティ制御を行うセキュリティ制御部６等を備えている。
【０００４】
そして、前記記憶部３には、多数のコンテンツが記憶されており、これらのコンテンツは、キーボード２からの指示により、特定のコンテンツが選択され、表示パネル４の画面上に表示できるようになっている。この場合、前記コンテンツとしては、文書データ、写真、動画やムービー等が含まれている。
【０００５】
従来例１の動作は次の通りである。
【０００６】
(a) ：キーボード２が表示情報処理部５に対して表示するコンテンツを通知する。
【０００７】
(b) ：表示情報処理部５は記憶部３より、該当するコンテンツを読み込む。
【０００８】
(c) ：表示情報処理部５はセキュリティ制御部６にコンテンツに対するセキュリティチェックを依頼する。
【０００９】
(d) ：セキュリティ制御部６は、表示情報処理部５に依頼して表示パネル４にパスワード入力画面を表示する。
【００１０】
(e) ：セキュリティ制御部６は、前記画面から入力されたパスワードが正しい場合、表示情報処理部５に表示可能であることを通知する。
【００１１】
(f) ：表示情報処理部５は、セキュリティ制御部６から表示可能であることが通知されると、表示パネル４の画面でコンテンツを表示する。
【００１２】
(2) ：従来例２
以下、特許文献１を従来例２として説明する。従来例２には次のような内容が記載されている。
【００１３】
(a) ：「携帯電話機の持つ各機能の使用可否制限を個別に設定し、小規模な建物や敷地ごとに設定する事を可能にした、携帯端末の機能制御システム及び携帯端末を提供することを目的とする。」・・・要約の欄を参照
(b) ：「携帯電話機に備えられた機能の使用を規制したい場所において、規制の対象となる場所の範囲のみをカバーする中継基地局を設置し、使用規制を行いたい携帯電話機の機能についての情報である制限情報を、カバーする範囲にある携帯電話機に対して位置情報と併せて提供し、携帯電話機には各制限情報に対する対応動作を設定させる事によって、場所ごとの要望に対応して携帯電話機の機能の使用を制限することができる。」・・・要約の欄を参照
(3) ：従来例３
以下、特許文献２を従来例３として説明する。従来例３には次のような内容が記載されている。
【００１４】
(a) ：「病院や美術館等の携帯電話を使用することが好ましくない場所に入ると、自動的に使用できなくなり、周りに迷惑が掛からないようにする。」・・・要約の欄を参照
(b) ：「ＧＰＳ衛星により位置検出部が位置を検出すると、アンテナ部から発信することで、携帯電話基地局の現在位置判断部は携帯電話の位置を判断し、携帯電話使用規制制御部はその携帯電話に対して携帯電話使用規制情報を送信する。これを受信した携帯電話端末は、携帯電話使用規制情報判断部でどのような規制であるかを判断し、設定制御部でその判断を元に携帯電話の使用禁止、電源制御、留守番電話起動およびメッセージの表示等の制御を設定して伝達する。」・・・要約の欄を参照
(4) ：従来例４
以下、特許文献３を従来例４として説明する。従来例４には次のような内容が記載されている。
【００１５】
(a) ：「携帯無線電話機を車載状態にしたとき、携帯無線電話機の利用者が携帯無線電話機に対し何らの操作を必要としないようにする。」・・・要約の欄を参照
(b) ：「携帯無線電話機が車載状態にあることを検出する検出手段を設け、この検出手段で車載状態が検出されると自動的に自動着信応答モードに切り替え、自動着信応答モードでは表示部への一切の表示を禁止し、操作部からの入力の受け付けを一切禁止し、着信を報知するサウンダを不動作にし、留守番電話の動作を実行させた。」・・・要約の欄を参照
【特許文献１】特開２００５−１９８０３８号公報
【特許文献２】特開２００１−１６０９８５号公報
【特許文献３】特開２０００−２４４９７２号公報
【発明の開示】
【発明が解決しようとする課題】
【００１６】
(1) ：従来例１では次のような課題があった。
【００１７】
(a) ：コンテンツを表示する場合、コンテンツ（例えば、文書）全体に表示の制限をかけており、表示データ単位（例えば、文書の場合はページ）での制限ができなかった。また、見せたい所だけを表示させることはできなかった。このため、一部の人にはコンテンツ（例えば、文書）全体だけでなく、特定の表示データ単位（例えば、文書の場合はページ）だけを見せたい場合、新たに文書を作成する必要があり、手間や時間がかかっていた。
【００１８】
(b) ：コンテンツを表示する場合、時間や位置による表示の制限をすることができなかった。
【００１９】
(c) ：表示させたくない表示データ単位（例えば、文書の場合はページ）を制限できなかった。
【００２０】
(d) ：コンテンツ単位で表示すると、コンテンツ内の特定の表示データ単位（例えば、文書の場合はページ）に見せたくない情報があっても全て表示されてしまう。そのため、見せたくない情報まで表示してしまっていた。
【００２１】
(e) ：また、前記の見せたくない情報を除いた他の開示しても良い情報だけを見せたい場合は、その情報のみを抽出して、新たにファイルを作成すれば、前記の課題は解決できる。しかし、この場合、余計な時間や手間がかかってしまう。
【００２２】
(2) ：従来例２は、携帯電話機の持つ各機能の使用可否制限を個別に設定し、小規模な建物や敷地ごとに設定する事を可能にした、携帯端末の機能制御システム及び携帯端末に関するものである。しかし、従来例２には、本発明のように「管理テーブル付きコンテンツ」に関して開示がなく、本発明の背景技術程度のものである。
【００２３】
(3) ：従来例３は、病院や美術館等の携帯電話を使用することが好ましくない場所に入ると、自動的に使用できなくなり、周りに迷惑がかからないようにするという内容である。しかし、従来例３には、本発明のように「管理テーブル付きコンテンツ」に関して開示がなく、本発明の背景技術程度のものである。
【００２４】
(4) ：従来例４は、携帯無線電話機を車載状態にしたとき、携帯無線電話機の利用者が携帯無線電話機に対して何らの操作を必要としないようにするという内容である。しかし、従来例３には、本発明のように「管理テーブル付きコンテンツ」に関して開示がなく、本発明の背景技術程度のものである。
【００２５】
本発明は従来の課題を解決するためになされたものであり、表示対象のコンテンツに表示制限の制御情報を含む管理テーブルを付加しておき、コンテンツを表示する場合、管理テーブルの制御情報に含まれる表示条件を判定し、管理テーブルで許容している状態以外での表示データ単位の表示及びコンテンツ単位の表示を制限できるようにすることを目的とする。
【課題を解決するための手段】
【００２６】
本発明は前記の目的を達成するため、次のように構成した。
【００２７】
(1) ：情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示させる機能を有する移動型情報処理装置において、前記コンテンツ内の表示データ単位及びコンテンツ単位に情報の表示を制限するための制御情報を含む管理テーブルを作成し、その管理テーブルをコンテンツに付加する管理テーブル処理手段と、前記管理テーブル処理手段により作成した管理テーブル付きコンテンツを表示する場合、前記管理テーブル付きコンテンツから管理テーブルを抽出して解析し、前記制御情報に含まれる表示条件を判定する表示条件判定手段と、前記表示条件判定手段の判定結果を基に、前記管理テーブルで許容している状態以外でのコンテンツ内の表示データ単位の表示及びコンテンツ単位の表示を制限する表示制限手段を備えていることを特徴とする。
【００２８】
(2) ：前記(1) の移動型情報処理装置において、前記管理テーブルは前記制御情報に位置情報を含み、該位置情報を表示条件とすることにより、特定エリア以外でのコンテンツの表示を制限する機能を備えていることを特徴とする。
【００２９】
(3) ：前記(1) の移動型情報処理装置において、前記管理テーブルは前記制御情報に位置情報を含み、該位置情報を表示条件とすることにより、その位置で表示させたいコンテンツ内の表示データ単位のデータだけを表示させる機能を備えていることを特徴とする。
【００３０】
(4) ：情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示する機能を有する移動型情報処理装置の処理方法において、前記コンテンツ内の表示データ単位及びコンテンツ単位に情報の表示を制限するための制御情報を含む管理テーブルを作成し、その管理テーブルをコンテンツに付加する管理テーブル処理手順と、前記管理テーブル処理手順により作成した管理テーブル付きコンテンツを表示する場合、前記管理テーブル付きコンテンツから管理テーブルを抽出して解析し、前記制御情報に含まれる表示条件を判定する表示条件判定手順と、前記表示条件判定手順の判定結果を基に、前記管理テーブルで許容している状態以外での表示データ単位の表示及びコンテンツ単位の表示を制限する表示制限手順とを備えていることを特徴とする。
【００３１】
（作用）
以下、図１を参照しながら前記構成に基づく本発明の作用を説明する。
【００３２】
(a) ：前記(1) 、(4) の作用
管理テーブル処理手段（管理テーブル処理部１２）は、コンテンツ内の表示データ単位及びコンテンツ単位に情報の表示を制限するための制御情報を含む管理テーブルを作成する。そして、その管理テーブルをコンテンツに付加し記憶部１１に管理テーブル付きコンテンツとして記憶しておく。
【００３３】
次に、管理テーブル処理手段により作成した管理テーブル付きコンテンツを表示する場合、表示条件判定手段（表示条件判定部１０）は、表示対象の管理テーブル付きコンテンツから管理テーブルを抽出して解析し、前記制御情報に含まれる表示条件を判定する。
【００３４】
次に、表示制限手段（セキュリティ制御部６）は、表示条件判定手段の判定結果を基に、前記管理テーブルで許容している状態以外での表示データ単位の表示及びコンテンツ単位の表示を制限する。
【００３５】
このように、表示対象のコンテンツに表示制限の制御情報を含む管理テーブルを付加しておき、コンテンツを表示する場合、管理テーブルの制御情報に含まれる表示条件を判定し、管理テーブルで許容している状態以外での表示データ単位の表示及びコンテンツ単位の表示を制限できる。
【００３６】
(b) ：前記(2) の作用
前記(a) の作用に加え、管理テーブルは前記制御情報に位置情報（ＧＰＳアンテナか又は無線基地局を介してＧＰＳ情報取得部１４が取得したＧＰＳ情報）を含み、該位置情報を表示条件とすることにより、特定エリア以外でのコンテンツの表示を制限する。
【００３７】
(c) ：前記(3) の作用
前記(a) の作用に加え、管理テーブルは前記制御情報に位置情報を含み、該位置情報を表示条件とすることにより、その位置で表示されたい表示単位のデータだけを表示させる。
【発明の効果】
【００３８】
本発明は前記の構成により次のような効果がある。
【００３９】
(1) ：表示対象のコンテンツに表示制限の制御情報を含む管理テーブルを付加しておき、コンテンツを表示する場合、管理テーブルの制御情報に含まれる表示条件を判定し、管理テーブルで許容している状態以外での表示データ単位（例えば、文書の場合はページ単位）の表示及びコンテンツ単位（例えば、文書の場合は文書全体）の表示を制限できる。
【００４０】
(2) ：前記効果に加え、管理テーブルは制御情報に位置情報を含み、該位置情報を表示条件とすることにより、特定エリア以外でのコンテンツの表示を制限できる。
【００４１】
(3) ：前記効果に加え、管理テーブルは制御情報に位置情報を含み、該位置情報を表示条件とすることにより、その位置で表示させたい表示単位のデータだけを表示させることができる。
【００４２】
(4) ：前記効果に加え、管理テーブルは制御情報に時間情報を含み、該時間情報を表示条件とすることにより、会議などの特定の時間だけコンテンツの表示を可能とし、その時間を過ぎるとコンテンツの表示を制限できる。
【００４３】
(5) ：例えば、会社の外では、文書の目次以外のページを非表示にしたい場合、会社内の位置情報を管理テーブルに登録する。この管理テーブル付きのコンテンツは、携帯電話機等の位置情報検出機能と連携し、会社内の位置であることが確認された時だけ、文書の目次以外の内容を表示することができるようにすることが可能であり、便利である。
【００４４】
(6) ：例えば、イベント会場などで、その位置で必要となるページだけを表示することを目的に、位置情報と文書ファイルのページを連携するように管理テーブルを作成すれば、携帯電話機等で文書を表示しているだけで、位置に合わせた解説ページが自動的に表示できる。
【発明を実施するための最良の形態】
【００４５】
§１：移動型情報処理装置の概要説明
以下、図１を参照しながら移動型情報処理装置の概要を説明する。以下に説明する移動型情報処理装置は、携帯電話機、ＰＤＡ、ノートパソコン、ゲーム機など、人が携帯したり、或いは自動車、電車、その他の乗り物（例えば、イベント会場内の移動手段としての乗り物）などの移動体に搭載して使用する装置が対象であり、次のような構成を備えている。
【００４６】
(1) ：移動型情報処理装置は、情報を表示する表示パネル４と、コンテンツを記憶する記憶部１１と、コンテンツの表示を制御する表示情報処理部５を少なくとも備え、表示情報処理部５の制御により記憶部１１のコンテンツを表示パネル４で表示させる機能を備えている。
【００４７】
そして、このような移動型情報処理装置において、コンテンツ内の表示データ単位及びコンテンツ単位に情報の表示を制限するための制御情報を含む管理テーブルを作成し、その管理テーブルをコンテンツに付加する管理テーブル処理部１２と、管理テーブル処理部１２により作成した管理テーブル付きコンテンツを表示する場合、管理テーブル付きコンテンツから管理テーブルを抽出して解析し、制御情報に含まれる表示条件を判定する表示条件判定部１０と、前記表示条件判定部１０の判定結果を基に、管理テーブルで許容している状態以外でのコンテンツ内の表示データ単位の表示及びコンテンツ単位の表示を制限するセキュリティ制御部６を備えている。
【００４８】
なお、前記コンテンツには、文書、図面、写真等が含まれている。また、管理テーブルには、１つ又は複数の制御情報が含まれており、前記制御情報には、位置情報、時限情報、制限範囲、解除条件、依存ルール等が含まれている。
【００４９】
(2) ：また、移動型情報処理装置は、管理テーブルの制御情報に位置情報を含み、該位置情報を表示条件とすることにより、特定エリア以外でのコンテンツの表示を制限する機能を備えている。
【００５０】
(3) ：また、移動型情報処理装置は、管理テーブルの制御情報に位置情報を含み、該位置情報を表示条件とすることにより、その位置で表示させたいコンテンツ内の表示データ単位のデータだけを表示させる機能を備えている。
【００５１】
(4) ：また、移動型情報処理装置は、管理テーブルの制御情報に時間情報を含み、該時間情報を表示条件とすることにより、会議などの特定の時間だけコンテンツの表示を可能とし、その時間を過ぎるとコンテンツを非表示とする制御機能を備えている。
【００５２】
§２：移動型情報処理装置の詳細な構成の説明
図２は移動型情報処理装置の構成図である。以下、図２に基づいて、移動型情報処理装置の構成を詳細に説明する。
【００５３】
図２に示した移動型情報処理装置は、携帯電話機、ＰＤＡ、ノートパソコン、ゲーム機等の何れかにより構成されるものである。
【００５４】
この装置には、プロセッサ１、キーボード２、表示パネル４、表示情報処理部５、セキュリティ制御部６、時計７、ＧＰＳアンテナ８、カレンダー情報記憶部９、表示条件判定部１０、記憶部１１、管理テーブル処理部１２、現在情報取得部１３、ＧＰＳ情報取得部１４等が設けてある。前記各部の機能等は次の通りである。
【００５５】
プロセッサ１はＣＰＵ、ＭＰＵ等のプロセッサにより構成され、装置内の各種制御や処理を行うものである。キーボード２は、利用者が操作してデータ等を入力したり、制御情報等を入力したりするものである。表示パネル４は、例えば、ＬＣＤ（液晶表示パネル）で構成された表示パネルである。表示情報処理部５は、表示パネル４の画面に表示する情報（或いはデータ）を表示する為に処理するものである。
【００５６】
セキュリティ制御部６は、記憶部１１内の管理テーブル付きコンテンツについて表示する場合、その管理テーブル付きコンテンツの管理テーブルの内容を表示条件判定部１０が解析して判定した結果の情報を基に、表示対象のコンテンツに関して、表示して良いかどうかのチェックを行い、表示制限のない情報のみを表示させる制御を行う。この場合、表示して良い場合には、対象のコンテンツ又はコンテンツ内の表示データ単位で、そのデータを表示情報処理部５へ転送し、表示する。また、セキュリティ制御部６は、キーボードから利用者がＩＤコード等を入力した場合のセキュリティチェック等も行う。
【００５７】
時計７は時刻を計測するものである。ＧＰＳアンテナ８は、ＧＰＳ用人工衛星からの電波を受信するためのアンテナである。なお、このＧＰＳアンテナ８は、例えば、携帯電話機等が基地局からのＧＰＳ情報を受信可能な状態であれば、不要である。カレンダー情報記憶部９は、予め、カレンダー情報（例えば、数十年分）を記憶した不揮発性メモリ等である。
【００５８】
表示条件判定部１０は、表示パネル４の画面に情報を表示する場合に、キーボードから利用者が指示したコンテンツについて、記憶部１１内の管理テーブル付きコンテンツを取り出して、管理テーブルを抽出し、解析することで、管理テーブルに含まれる表示条件を判定する。この場合、現在情報取得部１３から現在日付、現在の時刻などを取得し、ＧＰＳ情報取得部１４から現在位置情報を取得する。記憶部１１は管理テーブル付きコンテンツやその他のデータ（例えば、作成したコンテンツのみ）を記憶するものである。
【００５９】
管理テーブル処理部１２は、キーボード２からの利用者による指示に基づいて管理テーブルを作成し、この管理テーブルをコンテンツに付加して記憶部１１に記憶する処理を行うものである。現在情報取得部１３は、現在の時刻、現在の日付等（現在の位置情報を除く）の情報を取得するものである。
【００６０】
ＧＰＳ情報取得部１４は、ＧＰＳアンテナ８からの情報を基にＧＰＳ情報（現在位置情報：現在位置の緯度、経度の情報）を取得するものである。なお、この場合、例えば、携帯電話機等が基地局からのＧＰＳ情報を受信可能な状態であれば、ＧＰＳアンテナ８を使用する事無く、基地局からのＧＰＳ情報を受信することで、ＧＰＳ情報を取得する。
【００６１】
§３：管理テーブル例の説明
図３は管理テーブル例１の説明図、図４は管理テーブル例２の説明図である。以下、図３、図４に基づいて管理テーブル例について説明する。なお、以下の例は、コンテンツが文書の場合の例である。
【００６２】
(1) ：管理テーブル例１（図３参照）
管理テーブル例１では、制御情報をルールという単位で登録している。
【００６３】
この管理テーブル例１は、制御情報として、ルール１、ルール２を持っている。これらのルールに含まれる情報は、(a) ：位置情報、(b) ：時限情報、(c) ：制限範囲、(d) ：解除条件、(e) ：依存ルールである。
【００６４】
ルール１は、(a) ：位置情報＝なし、(b) ：時限情報＝４／１ページ以降、(c) ：制限範囲＝全ページ閲覧不可、(d) ：解除条件＝なし、(e) ：依存ルール＝なしである。
【００６５】
ルール２は、(a) ：位置情報＝エリアＡ外、(b) ：時限情報＝なし、(c) ：制限範囲＝Ｐ２〜Ｐ１０閲覧不可、(d) ：解除条件＝なし、(e) ：依存ルール＝ルール１のクリアである。
【００６６】
(2) ：管理テーブル例２（図４参照）
管理テーブル例２では、制御情報をルールという単位で登録している。
【００６７】
この管理テーブル例２は、制御情報として、ルール１、ルール２、ルール３、ルール４を持っている。これらのルールに含まれる情報は、(a) ：位置情報、(b) ：時限情報、(c) ：制限範囲、(d) ：解除条件、(e) ：依存ルールである。
【００６８】
ルール１は、(a) ：位置情報＝なし、(b) ：時限情報＝２／２１ページ以降、(c) ：制限範囲＝全ページ閲覧不可、(d) ：解除条件＝なし、(e) ：依存ルール＝なしである。
【００６９】
ルール２は、(a) ：位置情報＝エリアＢ内、(b) ：時限情報＝なし、(c) ：制御範囲＝Ｐ２閲覧可能、(d) ：解除条件＝ルール２の適用、(e) ：依存ルール＝ルール１のクリアである。
【００７０】
ルール３は、(a) ：位置情報＝エリアＣ内、(b) ：時限情報＝なし、(c) ：制御範囲＝Ｐ３閲覧可能、(d) ：解除条件＝ルール３の適用、(e) ：依存ルール＝ルール２のクリアである。
【００７１】
ルール４は、(a) ：位置情報＝エリアＤ内、(b) ：時限情報＝なし、(c) ：制御範囲＝Ｐ４閲覧可能、(d) ：解除条件＝ルール４の適用、(e) ：依存ルール＝ルール３のクリアである。
【００７２】
§４：位置情報の説明
図５は位置情報例の説明図である。前記管理テーブル例で説明した位置情報は、図５に示してある。
【００７３】
この例では、エリアＡ、エリアＢ、エリアＣ、エリアＤ等の例がある。これらの各エリアは、或るエリアのＧＰＳで取得した緯度、経度により設定した領域である。この位置情報は、予め、管理テーブルに設定する位置情報として記憶部１１やその他の図示省略した記憶手段に設定しておく。そして、管理テーブルを作成する場合には、前記設定してある記憶手段から情報（エリアを特定するための緯度、経度等の情報）を読み出して管理テーブルに設定する。
【００７４】
§５：移動型情報処理装置の処理の説明
図６は移動型情報処理装置の処理フローチャート（その１）である。また、図７は移動型情報処理装置の処理フローチャート（その２）である。以下、図６、図７に基づいて、移動型情報処理装置の処理を説明する。なお、以下に説明する処理は、コンテンツが文書の場合の処理例である。また、Ｓ１〜Ｓ１２は各処理ステップを示す。
【００７５】
キーボード２から指示（文書の表示指示）があると、この処理を開始し、表示条件判定部１０は、前記指示に基づき記憶部１１から管理テーブル付きコンテンツを取得する（Ｓ１）。次に、表示条件判定部１０は、取得した管理テーブル付きコンテンツ（この例では管理テーブル付き文書）から管理テーブルを抽出して内容を解析する（Ｓ２）。
【００７６】
そして、表示条件判定部１０は、前記解析結果に基づき、判定に必要な情報（位置情報、時刻情報などの現在情報）を現在情報取得部１３とＧＰＳ情報取得部１４から取得する（Ｓ３）。次に、セキュリティ制御部６は、前記取得した現在情報から表示条件の判定を行い（Ｓ４）、該当ページ（ページ単位の表示ＯＫ／ＮＧ）は表示して良いかどうかを判断する（Ｓ５）。
【００７７】
その結果、該当ページは表示してはいけない、との判断であれば、次のページはあるか否かを判定する（Ｓ６）。そして、次のページがあれば前記Ｓ３の処理へ移行し、次のページがなければ、表示可能なページがあるかを判断する（Ｓ７）。その結果、表示可能なページがなければ、この処理を終了する。
【００７８】
また、前記Ｓ５の処理で、該当ページは表示して良いとの判断であれば、セキュリティ制御部６は、表示ＯＫとなった表示情報処理部５へ転送する（Ｓ８）。なお、この場合、セキュリティ制御部６は表示ＯＫとならなかった情報は表示情報処理部５へは転送しないため、表示されない。
【００７９】
次に、表示情報処理部５は、表示パネル４に表示データを転送して、画面に表示する（Ｓ９）。次に、キー入力操作が行われたかを判断し（Ｓ１０）、キー入力操作が行われなければ、キー入力操作が行われるのを待つ。
【００８０】
そして、キー入力操作が行われたら、ページ移動を伴う操作か否かを判断し（Ｓ１１）、ページ移動を伴う操作であれば、前記Ｓ３の処理へ移行し、ページ移動を伴う操作でなければ、処理の終了指示有りか否かを判断する（Ｓ１２）。その結果、処理の終了指示有りであれば、この処理を終了する。しかし、処理の終了指示がなければ、Ｓ８の処理へ移行する。
【００８１】
§６：ルール適用例の説明
図８はルール適用例１、図９はルール適用例２、図１０はルール適用例２（続き）である。以下、図８、図９、図１０に基づいて、ルール適用例（コンテンツが文書の場合の例）を説明する。本適用例では、制御情報をルールという単位で登録している。
【００８２】
(1) ：ルール適用例１（図８参照）
想定している利用シーン：機密情報保護を目的とした利用
この場合、契約期間内はエリアＡ内では閲覧可能であるが、エリアＡ外にでると１ページ目のみ閲覧可能とすること、及び契約期間終了で、ファイルの閲覧を不可とすることを制御情報とする。
【００８３】
(a) ：表示制御対象コンテンツ
表示制御対象コンテンツは、文書ファイルＡ、総ページ数＝１０ページとする。
【００８４】
(b) ：位置情報
エリアＡ＝エリア登録を行うツールを用意し、そのツールにて登録している、或るエリアのＧＰＳで取得した緯度、経度情報
(c) ：時限情報
契約期間は、２００６／１／１〜２００６／３／３１迄とする。
【００８５】
(d) ：管理テーブル情報
管理テーブルは管理テーブル例１（図３参照）を使用する。この管理テーブル例１では、制御情報をルールという単位で登録してある。ルールに含まれる情報は、位置情報、時限情報、制限範囲、解除条件、依存ルールである。
【００８６】
以上の管理テーブル情報を使用した場合のルール適用例１は、図８に示した通りである。
【００８７】
１．契約期間内では、エリアＡ内の場合、契約期間内のためルール１はクリアであり、エリアＡ内のため、ルール２もクリアである。そのため、結果は全ページ閲覧可能である。
【００８８】
２．契約期間内では、エリアＡ外の場合、契約期間内のためルール１はクリアであり、エリアＡ外のため、ルール２が適用される。そのため、結果は１ページのみ閲覧可能である。
【００８９】
３．契約期間外では、エリアＡ内の場合、契約期間外のためルール１が適用される。そのため、結果は全ページ閲覧不可である。
【００９０】
４．契約期間外では、エリアＡ外の場合、契約期間外のためルール１が適用される。そのため、結果は全ページ閲覧不可である。
【００９１】
(2) ：ルール適用例２（図９、図１０参照）
想定している利用シーン：イベントにて携帯電話機を使ったゲーム使用を目的とした利用
この場合、閲覧可能なページに書かれているヒントからエリアを移動し新しい情報を求め、ゴールを目指すといったようなゲームに利用
１．イベント実施期間内はエリアＢ内では２ページが閲覧可能となる（新しい情報の入手成功）。
【００９２】
２．イベント実施期間内はエリアＣ内では３ページが閲覧可能となる（新しい情報の入手成功）。
【００９３】
３．イベント実施期間内はエリアＤ内では４ページが閲覧可能となる（新しい情報の入手成功）。
【００９４】
４．イベント実施期間終了で、ファイルの閲覧を不可とする。
【００９５】
(a) ：表示制御対象コンテンツ
表示制御対象コンテンツは、文書ファイルＢ、総ページ数＝４ページとする。
【００９６】
(b) ：位置情報
位置情報として、エリアＢ、エリアＣ、エリアＤを使用する。この場合、エリアＢ、Ｃ、Ｄは互いに重複するエリアはないものとする。また、エリアＢ、エリアＣ、エリアＤはそれぞれ、エリア登録を行うツールを用意し、そのツールにて登録している、或るエリアのＧＰＳで取得した緯度、経度情報である。
【００９７】
(c) ：時限情報
契約期間は、２００６／２／１０〜２００６／２／２０迄とする。
【００９８】
(d) ：管理テーブル情報
管理テーブルは管理テーブル例２（図４参照）を使用する。この管理テーブル例２では、制御情報をルールという単位で登録してある。ルールに含まれる情報は、位置情報、時限情報、制限範囲、解除条件、依存ルールである。
【００９９】
以上の管理テーブル情報を使用した場合のルール適用例２は、図９、図１０に示した通りである。
【０１００】
１．イベント期間内であって、ルール未解除の場合、エリアＢ／Ｃ／Ｄ外では、イベント期間内のためルール１はクリアである。そのため結果は１ページのみ閲覧可能である。
【０１０１】
２．イベント期間内であって、ルール未解除の場合、エリアＢ内では、イベント期間内のため、ルール１はクリアである。また、エリアＢ内のため、ルール２が適用される。そのため、結果は１〜２ページ閲覧可能である。ルール２が適用されたため解除条件は満たされ、以降ルール２は解除される。
【０１０２】
３．イベント期間内であって、ルール２解除後の場合、エリアＢ／Ｃ／Ｄ外では、イベント期間内のためルール１クリアである。また、ルール２は解除されたためクリアである。そのため、結果は１〜２ページ閲覧可能である。
【０１０３】
４．イベント期間内であって、ルール２解除後の場合、エリアＣ内では、イベント期間内のためルール１クリアである。また、ルール２は解除されたためクリアである。また、エリアＣ内のためルール３が適用される。そのため、結果は１〜３ページ閲覧可能である。ルール３が適用されたため解除条件が満たされ、以降ルール３は解除される。
【０１０４】
５．イベント期間内であって、ルール２、ルール３解除後の場合、エリアＢ／Ｃ／Ｄ外では、イベント期間内のためルール１はクリアである。また、ルール２は解除されたためクリアである。また、ルール３解除のためクリアである。そのため、結果は１〜３ページ閲覧可能である。
【０１０５】
６．イベント期間内であって、ルール２、ルール３解除後の場合、エリアＤ内では、イベント期間内のため、ルール１はクリアである。また、ルール２は解除されたためクリアである。また、ルール３は解除されたためクリアである。また、エリアＤ内のためルール４が適用される。そのため、結果は全ページ閲覧可能である。ルール４が適用されたため解除条件が満たされ、以降ルール４は解除される。
【０１０６】
７．イベント期間内であって、ルール２、ルール３、ルール４解除後の場合、エリアＢ／Ｃ／Ｄ外では、イベント期間内のためルール１クリアである。また、ルール２Ｆ解除されたためクリアである。また、ルール３は解除されたためクリアである。また、ルール４は解除されたためクリアである。そのため、結果は全ページ閲覧可能である。
【０１０７】
８．イベント期間外であって、ルール２、ルール３、ルール４解除後の場合、エリアＣ外では、イベント期間外のためルール１が適用される。そのため、結果は全ページ閲覧不可である。
【０１０８】
§７：プログラムと記録媒体の説明
図２に示した移動型情報処理装置において、表示情報処理部５、セキュリティ制御部６、表示条件判定部１０、管理テーブル処理部１２、現在情報取得部１３、ＧＰＳ情報取得部１４はそれぞれプログラムで構成されており、プロセッサ１が前記プログラムを記憶手段（図と省略した手段）から読み出して実行することで、前記処理を行う。
【０１０９】
しかし、本発明は、このような例に限らず、例えば、次のようにしても実行可能である。すなわち、他の装置で作成され、フロッピィディスク、光磁気ディスク、或いはＣＤ−ＲＯＭ等の記録媒体に格納されているデータを、例えば、無線通信回線を介して受信し、この受信プログラムを前記記憶手段に格納する。その後、前記記憶手段のプログラムをプロセッサ１が読み出して実行することで前記移動型情報処理装置の処理を行う。
【０１１０】
（付記）
前記の説明に対し、次の構成を付記する。
【０１１１】
（付記１）
情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示させる機能を有する移動型情報処理装置において、
前記コンテンツ内の表示データ単位及びコンテンツ単位に情報の表示を制限するための制御情報を含む管理テーブルを作成し、その管理テーブルをコンテンツに付加する管理テーブル処理手段と、
前記管理テーブル処理手段により作成した管理テーブル付きコンテンツを表示する場合、前記管理テーブル付きコンテンツから管理テーブルを抽出して解析し、前記制御情報に含まれる表示条件を判定する表示条件判定手段と、
前記表示条件判定手段の判定結果を基に、前記管理テーブルで許容している状態以外でのコンテンツ内の表示データ単位の表示及びコンテンツ単位の表示を制限する表示制限手段を備えていることを特徴とする移動型情報処理装置。
【０１１２】
（付記２）
前記管理テーブルは前記制御情報に位置情報を含み、該位置情報を表示条件とすることにより、特定エリア以外でのコンテンツの表示を制限する機能を備えていることを特徴とする付記１記載の移動型情報処理装置。
【０１１３】
（付記３）
前記管理テーブルは前記制御情報に位置情報を含み、該位置情報を表示条件とすることにより、その位置で表示させたいコンテンツ内の表示データ単位のデータだけを表示させる機能を備えていることを特徴とする付記１記載の移動型情報処理装置。
【０１１４】
（付記４）
前記管理テーブルは前記制御情報に時間情報を含み、該時間情報を表示条件とすることにより、会議などの特定の時間だけコンテンツの表示を可能とし、その時間を過ぎるとコンテンツを非表示とするように制御する機能を備えていることを特徴とする付記１記載の移動型情報処理装置。
【０１１５】
（付記５）
情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示する機能を有する移動型情報処理装置に、
前記コンテンツ内の表示データ単位及びコンテンツ単位に情報の表示を制限するための制御情報を含む管理テーブルを作成し、その管理テーブルをコンテンツに付加する管理テーブル処理手段と、
前記管理テーブル処理手段により作成した管理テーブル付きコンテンツを表示する場合、前記管理テーブル付きコンテンツから管理テーブルを抽出して解析し、前記制御情報に含まれる表示条件を判定する表示条件判定手段と、
前記表示条件判定手段の判定結果を基に、前記管理テーブルで許容している状態以外での表示データ単位の表示及びコンテンツ単位の表示を制限する表示制限手段の機能を実現させるためのプログラム。
【０１１６】
（付記６）
情報を表示する表示手段と、コンテンツを記憶する記憶手段と、コンテンツの表示を制御するコンテンツ表示制御手段を少なくとも備え、前記コンテンツ表示制御手段の制御により記憶手段のコンテンツを前記表示手段で表示する機能を有する移動型情報処理装置に、
前記コンテンツ内の表示データ単位及びコンテンツ単位に情報の表示を制限するための制御情報を含む管理テーブルを作成し、その管理テーブルをコンテンツに付加する管理テーブル処理手段と、
前記管理テーブル処理手段により作成した管理テーブル付きコンテンツを表示する場合、前記管理テーブル付きコンテンツから管理テーブルを抽出して解析し、前記制御情報に含まれる表示条件を判定する表示条件判定手段と、
前記表示条件判定手段の判定結果を基に、前記管理テーブルで許容している状態以外での表示データ単位の表示及びコンテンツ単位の表示を制限する表示制限手段の機能を実現させるためのプログラムを記録したコンピュータ読み取り可能な記録媒体。
【図面の簡単な説明】
【０１１７】
【図１】本発明の原理説明図である。
【図２】実施の形態における移動型情報処理装置の構成図である。
【図３】実施の形態における管理テーブル例１の説明図である。
【図４】実施の形態における管理テーブル例２の説明図である。
【図５】実施の形態における位置情報例の説明図である。
【図６】実施の形態における移動型情報処理装置の処理フローチャート（その１）である。
【図７】実施の形態における移動型情報処理装置の処理フローチャート（その２）である。
【図８】実施の形態におけるルール適用例１である。
【図９】実施の形態におけるルール適用例２である。
【図１０】実施の形態におけるルール適用例３である。
【図１１】従来例の説明図である。
【符号の説明】
【０１１８】
１  プロセッサ
２  キーボード
４  表示パネル
７  時計
８  ＧＰＳアンテナ
９  カレンダー情報記憶部
１１  記憶部
１２  管理テーブル処理部
１３  現在情報取得部
１４  ＧＰＳ情報取得部
【図１】
2007305007.tif 000003
【図２】
2007305007.tif 000004
【図３】
2007305007.tif 000005
【図４】
2007305007.tif 000006
【図５】
2007305007.tif 000007
【図６】
2007305007.tif 000008
【図７】
2007305007.tif 000009
【図８】
2007305007.tif 000010
【図９】
2007305007.tif 000011
【図１０】
2007305007.tif 000012
【図１１】
2007305007.tif 000013